(57)【要約】【課題】複数の写真画像を順次表示する場合により効果的に写真画像を切り替える。【解決手段】スライドショーにおいて画像を切り替える際、現在表示中の画像の撮影日時ｔ１と次の表示画像の撮影日時ｔ２とを取得して（Ｓ２００）、切替前後の撮影間隔Ｔを算出し（Ｓ２１０）、撮影間隔Ｔが同じシーンで撮影されたと推測できる間隔としての所定間隔Ｔｒｅｆ１を超えないときにはエフェクト処理がディゾルブのパターンａを切替パターンに選択し（Ｓ２２０，２４０）、所定間隔Ｔｒｅｆ１を超えるときには異なる日に撮影されたと推測できる間隔として設定された所定間隔Ｔｒｅｆ２を超えないときはエフェクト処理がワイプのパターンｂを選択し超えるときにはエフェクト処理がスパイラルのパターンｃをそれぞれ選択する（Ｓ２３０〜２６０）。これにより、撮影間隔Ｔに応じた異なるエフェクト処理で写真画像を切り替えることができる。【選択図】図６
2011164277.tif 000002
【特許請求の範囲】
【請求項１】
複数の写真画像を受け付けて表示部に表示する画像表示装置であって、
前記受け付けた写真画像が撮影順に関連する規則に従って前記表示部に順次表示されるよう表示制御し、該表示された写真画像を次の写真画像に切り替える際には、切替前後の写真画像の撮影日時に関する日時情報を取得し、該取得した日時情報に基づく撮影間隔の長短に応じて異なる切替パターンで切り替わるよう表示制御する
ことを特徴とする画像表示装置。
【請求項２】
前記撮影間隔が第１の所定間隔を超えない場合には第１の切替パターンで表示制御し、前記撮影間隔が前記第１の所定間隔を超える場合には第２の切替パターンで表示制御する請求項１記載の画像表示装置。
【請求項３】
前記第１の所定間隔として、前記写真画像が同じシーンで撮影されたと推測しうる間隔を用いる請求項２記載の画像表示装置。
【請求項４】
前記撮影間隔が前記第１の所定間隔よりも長い第２の所定間隔を超える場合には、前記第２の切替パターンに代えて第３の切替パターンで表示制御する請求項２または３記載の画像表示装置。
【請求項５】
前記第２の所定間隔として、前記写真画像が異なる日に撮影されたと推測しうる間隔を用いる請求項４記載の画像表示装置。
【請求項６】
前記異なる切替パターンとして、切替時におけるエフェクト処理または該エフェクト処理によるアニメーション効果の表示時間の少なくとも一方が異なるパターンで表示制御する請求項１ないし５いずれか１項に記載の画像表示装置。
【請求項７】
前記撮影間隔が長い場合には、短い場合よりも前記アニメーション効果が人目を引く態様のエフェクト処理を用いた切替パターンで表示制御する請求項６記載の画像表示装置。
【請求項８】
前記撮影間隔が長い場合には、短い場合よりも前記表示時間の長い切替パターンで表示制御する請求項６または７記載の画像表示装置。
【請求項９】
複数の写真画像を受け付けて表示部に表示する画像表示方法であって、
前記受け付けた写真画像が撮影順に関連する規則に従って前記表示部に順次表示されるよう表示制御し、該表示される写真画像を次の写真画像に切り替える際には、切替前後の写真画像の撮影日時に関する日時情報を取得し、該取得した日時情報に基づく撮影間隔の長短に応じて異なる切替パターンで切り替わるよう表示制御する
ことを特徴とする画像表示方法。
【発明の詳細な説明】
【技術分野】
【０００１】
本発明は、複数の写真を受け付けて表示部に画像を表示する画像表示装置および画像表示方法に関する。
【背景技術】
【０００２】
従来、この種の画像表示装置としては、ハードディスクに記憶されている画像ファイルを順次読み出してディスプレイにスライドショー再生する装置が提案されている（例えば、特許文献１参照）。この装置では、順序テーブルに定義された順序に従って、画像ファイルを読み出してディスプレイに順次表示させている。
【先行技術文献】
【特許文献】
【０００３】
【特許文献１】特開２００１−１０３４１５号公報
【発明の概要】
【発明が解決しようとする課題】
【０００４】
ところで、近年、ハードディスクやフラッシュメモリーなどの記憶媒体の大容量化に伴って、デジタルカメラで大量の写真が撮影されて記憶されるようになってきており、そのような大量の写真画像を順次表示させるだけではスライドショーの表示態様が単調なものとなってしまう。一方で、写真画像を切り替える度に趣向をこらしたエフェクト処理などを行なうと、全ての写真画像を表示するのに時間が掛かってしまう。
【０００５】
本発明の画像表示装置および画像表示方法は、複数の写真画像を順次表示する場合により効果的に写真画像を切り替えることを主目的とする。
【課題を解決するための手段】
【０００６】
本発明の画像表示装置および画像表示方法は、上述の主目的を達成するために以下の手段を採った。
【０００７】
本発明の画像表示装置は、
複数の写真画像を受け付けて表示部に表示する画像表示装置であって、
前記受け付けた写真画像が撮影順に関連する規則に従って前記表示部に順次表示されるよう表示制御し、該表示される写真画像を次の写真画像に切り替える際には、切替前後の写真画像の撮影日時に関する日時情報を取得し、該取得した日時情報に基づく撮影間隔の長短に応じて異なる切替パターンで切り替わるよう表示制御する
ことを特徴とする。
【０００８】
この本発明の画像表示装置では、受け付けた写真画像が撮影順に関連する規則に従って表示部に順次表示されるよう表示制御し、表示される写真画像を次の写真画像に切り替える際には、切替前後の写真画像の撮影日時に関する日時情報を取得し、取得した日時情報に基づく撮影間隔の長短に応じて異なる切替パターンで切り替わるよう表示制御する。これにより、複数の写真画像を順次表示する場合により効果的に写真画像を切り替えることができる。
【０００９】
こうした本発明の画像表示装置において、前記撮影間隔が第１の所定間隔を超えない場合には第１の切替パターンで表示制御し、前記撮影間隔が前記第１の所定間隔を超える場合には第２の切替パターンで表示制御するものとすることもできる。こうすれば、簡易な処理で切替パターンを選択して表示制御することができる。この態様の本発明の画像表示装置において、前記第１の所定間隔として、前記写真画像が同じシーンで撮影されたと推測しうる間隔を用いるものとすることもできる。こうすれば、次に表示される写真画像が同じシーンで撮影された写真画像であるか、異なるシーンで撮影された写真画像であるかをユーザーに認識させることができる。なお、同じシーンで撮影されたと推測しうる間隔としては、例えば、５秒や２０秒，１分，５分などの数秒から数分の間隔とすることができる。また、これらの態様の本発明の画像表示装置において、前記撮影間隔が前記第１の所定間隔よりも長い第２の所定間隔を超える場合には、前記第２の切替パターンに代えて第３の切替パターンで表示制御するものとすることもできる。この態様の本発明の画像表示装置において、前記第２の所定間隔として、前記写真画像が異なる日に撮影されたと推測しうる間隔を用いるものとすることもできる。こうすれば、同じ日に撮影された写真画像であるか異なる日に撮影された写真画像であるかをユーザーに認識させることができる。なお、第２の所定間隔としては、例えば、６時間や８時間，１０時間などの数時間の間隔とすることができる。
【００１０】
また、本発明の画像表示装置において、前記異なる切替パターンとして、切替時におけるエフェクト処理または該エフェクト処理によるアニメーション効果の表示時間の少なくとも一方が異なるパターンで表示制御するものとすることもできる。この態様の本発明の画像表示装置において、前記撮影間隔が長い場合には、短い場合よりも前記アニメーション効果が人目を引く態様のエフェクト処理を用いた切替パターンで表示制御するものとすることもできる。こうすれば、さらに効果的に写真画像を切り替えることができる。なお、人目を引く態様のエフェクト処理は、前記表示部における前記写真画像の位置の変化量が大きい処理などとしてもよい。また、これらの態様の本発明の画像表示装置において、前記撮影間隔が長い場合には、短い場合よりも前記表示時間の長い切替パターンで表示制御するものとすることもできる。こうすれば、撮影間隔が長いことをよりはっきりとユーザーに印象づけることができる。
【００１１】
本発明の画像表示方法は、
複数の写真画像を受け付けて表示部に表示する画像表示方法であって、
前記受け付けた写真画像が撮影順に関連する規則に従って前記表示部に順次表示されるよう表示制御し、該表示される写真画像を次の写真画像に切り替える際には、切替前後の写真画像の撮影日時に関する日時情報を取得し、該取得した日時情報に基づく撮影間隔の長短に応じて異なる切替パターンで切り替わるよう表示制御する
ことを特徴とする。
【００１２】
この本発明の画像表示方法では、受け付けた写真画像が撮影順に関連する規則に従って表示部に順次表示されるよう表示制御し、表示される写真画像を次の写真画像に切り替える際には、切替前後の写真画像の撮影日時に関する日時情報を取得し、取得した日時情報に基づく撮影間隔の長短に応じて異なる切替パターンで切り替わるよう表示制御する。これにより、複数の写真画像を順次表示する場合により効果的に写真画像を切り替えることができる。なお、上述した画像表示装置のいずれかの機能を実現するステップを追加してもよい。
【図面の簡単な説明】
【００１３】
【図１】プリンター２０の外観を示す外観斜視図。
【図２】プリンター２０の構成の概略を示す構成図。
【図３】スライドショーに関する機能を示すブロック図。
【図４】切替パターンの一例を示す説明図。
【図５】スライドショー実行処理ルーチンの一例を示すフローチャート。
【図６】切替パターン選択処理の一例を示すフローチャート。
【発明を実施するための形態】
【００１４】
次に、本発明の実施の形態を図面に基づいて説明する。図１は、本発明の一実施形態であるプリンター２０の外観を示す外観斜視図であり、図２は、プリンター２０の構成の概略を示す構成図である。
【００１５】
本実施形態のプリンター２０は、印刷機構４０（図２参照）を内蔵し、Ｌ判サイズやハガキサイズの用紙Ｓに印刷を行なうフォトプリンターとして構成されている。このプリンター２０は、図１に示すように、本体２１を持ち運ぶために上面に設けられた取っ手２２と、本体２１の背面にセットされた用紙Ｓを自動給紙するオートシートフィーダー２３と、印刷機構４０により印刷された用紙Ｓを受ける排紙トレイ２４と、上下方向にスライド可能であって画像を表示したり印刷時の設定を確認したりするための液晶ディスプレイ（ＬＣＤ）２５と、電源をオンオフするための電源ボタン２６とを備えている。また、本体２１の前面には、赤外線通信ポート２８（受光部）が設けられており、この赤外線通信ポート２８に発光部３０ａを向けてリモートコントロール装置３０を操作することにより、プリンター２０を遠隔操作できるようになっている。なお、リモートコントロール装置３０は、プリンター２０を遠隔操作するためのボタン類として、電源をオンオフするための電源ボタン３１と、印刷中に押されると印刷を中止し写真選択画面で押されると印刷枚数や写真の選択を解除するストップ／設定クリアボタン３２と、トップメニュー画面を表示するためのトップメニューボタン３３と、印刷枚数を設定するための印刷枚数設定ボタン３４と、項目や設定値を選択するための上下左右ボタン３５と、項目を決定したり次の画面に進むためのＯＫボタン３６と、一つ前の画面に戻る戻るボタン３７と、印刷を開始する印刷ボタン３８と、設定画面を表示する設定ボタン３９などを備える。
【００１６】
印刷機構４０は、図２に示すように、左右方向（主走査方向）にループ状に架け渡されたキャリッジベルト４３により駆動されガイド４２に沿って左右に往復するキャリッジ４１と、キャリッジ４１にシアン・マゼンタ・イエロー・ブラック等の各色のインクを供給するインクカートリッジ４４と、各インクカートリッジ４４から供給された各インクに圧力をかけてノズルから用紙Ｓに向けてインクを吐出する印刷ヘッド４５と、主走査方向に直交する副走査方向に用紙Ｓを搬送する搬送ローラー４６とを備える。印刷機構４０は、その下方にインクカートリッジ４４が取り付けられており、インクカートリッジ４４がキャリッジ４１上に搭載されていない、いわゆるオフキャリッジタイプとして構成されている。印刷ヘッド４５は、ここでは圧電素子に電圧をかけることによりこの圧電素子を変形させてインクを加圧する方式を採用しているが、発熱抵抗体（例えばヒータなど）に電圧をかけインクを加熱して発生した気泡によりインクを加圧する方式を採用してもよい。
【００１７】
また、本実施形態のプリンター２０は、その制御系としては、図２に示すように、プリンター全体の制御を司るメインコントローラー５０と、印刷機構４０を制御するプリンターＡＳＩＣ４８と、赤外線通信ポート２８を介して入力した赤外線信号を操作信号として処理する赤外線通信コントローラー６０と、ＬＣＤ２５を表示制御するＬＣＤコントローラー６２と、メモリーカードスロット６４に挿入されたメモリーカードＭＣに対するデータの書き込みや読み出しを制御するメモリーカードコントローラー６６と、を備え、これらはバス５９を介して互いに電気的に接続されている。なお、メモリーカードスロット６４は、図１中の電源ボタン２６が設けられた側面と反対側の側面に設けられている。
【００１８】
メモリーカードコントローラー６６は、メモリーカードスロット６４にメモリーカードＭＣが挿入された状態でメモリーカードＭＣに記憶されている画像ファイルを読み出してメインコントローラー５０に出力したり、必要に応じてデータをメモリーカードＭＣに記録したりする。なお、画像ファイルには、画像データに付随して、画素数や撮影日時，露出，絞り値，シャッター速度などを含むＥｘｉｆ付属情報が格納されている。
【００１９】
メインコントローラー５０は、ＣＰＵ５１を中心とするマイクロプロセッサーとして構成されており、各種処理プログラムや各種データ、各種テーブルなどを記憶するＲＯＭ５２と、一時的にデータを記憶するＲＡＭ５３と、電気的に書き換え可能で電源を切ってもデータは保持されるフラッシュメモリー５４と、電源ボタン２６からの操作信号を入力するインターフェース（Ｉ／Ｆ）５５とを備える。このメインコントローラー５０は、メモリーカードスロット６４に挿入されたメモリーカードＭＣから画像ファイルなどを入力したり、赤外線通信コントローラー６０からの操作信号や印刷機構４０の各部からの検出信号などを入力したりする。また、メインコントローラー５０は、メモリーカードＭＣに編集画像などを保存したり、プリンターＡＳＩＣ４８への指令信号やＬＣＤコントローラー６２への制御信号を出力したりする。
【００２０】
ここで、本実施形態のプリンター２０では、メモリーカードスロット６４にメモリーカードＭＣが差し込まれた状態でリモートコントロール装置３０によりスライドショーが指示されたときには、メモリーカードＭＣに記憶されている画像ファイル内の画像データを順次読み出して読み出した画像データを表示データに変換してＬＣＤ２５に表示するスライドショーを行なう。図３は、プリンター２０が有するスライドショーに関する機能を示すブロック図である。図示するように、スライドショーに関する機能として、画像データリード部７１と、情報解析部７２と、切替パターン選択部７３と、画像展開部７４と、データ保持部７５Ａ，７５Ｂと、表示データ出力部７６と、ＬＣＤインターフェース（Ｉ／Ｆ）７７とを有している。なお、これらの機能は、メインコントローラー５０とＬＣＤコントローラー６２とにより実現される。
【００２１】
画像データリード部７１は、メモリーカードコントローラー６６を介してメモリーカードＭＣから入力された画像ファイル内の画像データを順次読み出す。ここでは、画像ファイルの作成日時であるタイムスタンプの日時の昇順即ち撮影順序に従って画像データを順次読み出すものとした。情報解析部７２は、画像データリード部７１により読み出された画像データに付随するＥｘｉｆ付属情報を解析し、Ｅｘｉｆ付属情報中の撮影日時を抽出する。切替パターン選択部７３は、情報解析部７２が抽出した撮影日時を取得し、取得した撮影日時に応じて切替パターンを選択して表示データ出力部７６に通知する。なお、切替パターンは、表示画像を切り替える際のエフェクト処理と、そのエフェクト処理によるアニメーション効果が表示される表示時間（以下、効果時間とする）とを定めたパターンであり、内容および選択方法については後述する。画像展開部７４は、画像データリード部７１により読み出された画像データに対してリサイズ処理や圧縮・伸張処理などの各種画像処理を行なって表示用の画像データに展開し、データ保持部７５Ａ，７５Ｂのいずれかに交互に格納する。
【００２２】
表示データ出力部７４は、格納順に従ってデータ保持部７５Ａ，７５Ｂのいずれかから必要なデータを所定量ずつ読み出して表示データとしてＬＣＤ２５に接続されたＬＣＤＩ／Ｆ７７に出力する。即ち、本実施形態では、撮影順に画像データを読み出して表示用の画像データとしてデータ保持部７５Ａ，７５Ｂに交互に格納し、その格納順に従ってデータ保持部７５Ａ，７５Ｂから表示用の画像データを読み出してＬＣＤ２５に表示してスライドショーするから、撮影順に従って順次写真画像を表示してスライドショーすることになる。また、表示データ出力部７６は、写真画像を切り替える際には、切替パターン選択部７３から通知された切替パターンに従って切替前後の表示用の画像データを用いて必要なエフェクト処理を施した表示データをＬＣＤＩ／Ｆ７７に出力する。ここで、切替パターンについて説明する。本実施形態では、切替パターンとして、エフェクト処理と上述した効果時間とをそれぞれ異なる態様で組み合わせた３つのパターンを選択可能となっている。図４は、切替パターンの一例を示す説明図である。なお、図中「Ａ」，「Ｂ」は、ＬＣＤ２５上に表示される切替前の写真画像と切替後の写真画像を示し、以下、「画像Ａ」，「画像Ｂ」と称する。また、上述したように、効果時間は、エフェクト処理によるアニメーション効果が表示される時間であり、画像Ａから画像Ｂへ切り替わる時間である。図４（ａ）に示すパターンａは、エフェクト処理として画像Ａが徐々に消えていくにつれて画像Ｂが徐々に表示されるディゾルブを用いており、最も短い効果時間（小）に設定される。図４（ｂ）に示すパターンｂは、エフェクト処理として画像Ａの上に画像Ｂが図中左側からスライドしながら表示されるワイプを用いており、切替パターンａよりも長い効果時間（中）に設定される。図４（ｃ）に示すパターンｃは、エフェクト処理として画像Ａが回転しながら徐々に小さくなって消えた後に画像Ｂが回転しながら徐々に大きくなって表示されるスパイラルを用いており、最も長い効果時間（大）に設定される。なお、パターンａのディゾルブに比して、パターンｂのワイプやパターンｃのスパイラルは、写真画像の位置変化、特に画像Ｂの位置変化が大きいアニメーション効果となる。
【００２３】
次に、こうして構成された本実施形態のプリンター２０の動作、特に、デジタルカメラで撮影されたメモリーカードＭＣに記憶された写真をＬＣＤ２５にスライドショーする際の動作について説明する。図５は、スライドショー実行処理ルーチンの一例を示すフローチャートである。この処理は、メモリーカードスロット６４にメモリーカードＭＣが差し込まれた状態でリモートコントロール装置３０によりスライドショーが指示されたときに実行される。なお、この処理は、メインコントローラー５０とＬＣＤコントローラー６２とにより上述した各機能を適宜用いて行なわれるものとする。
【００２４】
スライドショー実行処理ルーチンが実行されると、まず、最初の表示対象の写真画像をＬＣＤ２５に表示して（ステップＳ１００）、次に表示する写真画像があるか否かを判定する（ステップＳ１１０）。この処理は、データ保持部７５Ａ，７５Ｂのうち、現在表示している写真画像の表示用の画像データを取得した保持部とは異なる保持部に表示用の画像データが格納されているか否かを判定することにより行なわれる。次に表示する写真画像があると判定したときには、上述した切替パターンの選択を行ない（ステップＳ１２０）、現在の写真画像が所定時間表示されるのを待つ（ステップＳ１３０）。なお、この所定時間は、スライドショーにおいて１枚の写真画像を表示する時間として予め設定されている。所定時間表示されたときには、選択された切替パターンに基づいて写真画像を切り替えて（ステップＳ１４０）、次の表示対象の写真画像を表示し（ステップＳ１５０）、ステップＳ１１０に戻る。そして、ステップＳ１１０で次の表示対象があると判定したときには、ステップＳ１２０〜１５０の処理を実行し、次の表示対象がないと判定したときには、そのまま本ルーチンを終了する。これにより、選択した切替パターンに従って表示対象の写真画像を切り替えながらスライドショーをすることができる。ここで、切替パターンの選択について説明する。図６は、切替パターン選択処理の一例を示すフローチャートである。なお、この処理は、切替パターン選択部７３により行なわれる。
【００２５】
切替パターン選択処理が実行されると、まず、現在表示している写真画像の撮影日時ｔ１と次の表示対象の写真画像の撮影日時ｔ２とを取得して（ステップＳ２００）、撮影日時ｔ２と撮影日時ｔ１との差分の時間を撮影間隔Ｔとして算出する（ステップＳ２１０）。次に、算出した撮影間隔Ｔが所定間隔Ｔｒｅｆ１を超えるか否かを判定する（ステップＳ２２０）。ここで、所定間隔Ｔｒｅｆ１は、同じシーンで連続的に撮影されたと推測できる間隔（時間）として、例えば、５秒や２０秒，１分，５分など数秒から数分の間の比較的短い時間に設定されるものとした。撮影間隔Ｔが所定間隔Ｔｒｅｆ１を超えないと判定したときには、切替前後の写真画像が同じシーンで連続的に撮影されたと推測し、切替パターンにパターンａ（エフェクト処理：ディゾルブ，効果時間：小）を選択して（ステップＳ２４０）、選択した切替パターンを表示データ出力部７６に通知して（ステップＳ２７０）、本処理を終了する。
【００２６】
一方、ステップＳ２２０で撮影間隔Ｔが所定間隔Ｔｒｅｆ１を超えると判定したときには、撮影間隔Ｔが所定間隔Ｔｒｅｆ２を超えるか否かを判定する（ステップＳ２３０）。ここで、所定間隔Ｔｒｅｆ２は、本実施形態では、異なる日に撮影されたと推測できる間隔（時間）として所定間隔Ｔｒｅｆ１よりも長い時間、例えば、６時間や８時間，１０時間など数時間の間の比較的長い時間に設定されるものとした。撮影間隔Ｔが所定間隔Ｔｒｅｆ２を超えると判定したときには、切替前後の写真画像が異なる日に撮影されたと推測し、切替パターンにパターンｃ（エフェクト処理：スパイラル，効果時間：大）を選択し（ステップＳ２５０）、ステップＳ２７０で切替パターンを表示データ出力部７６に通知して、本処理を終了する。
【００２７】
一方、ステップＳ２３０で撮影間隔Ｔが所定間隔Ｔｒｅｆ２を超えないと判定したときには、切替前後の写真画像は同じシーンで連続的に撮影されたものではなく且つ異なる日に撮影されたものではない、即ち、同じ日に異なるシーンで撮影されたと推測し、切替パターンにパターンｂ（エフェクト処理：ワイプ，効果時間：中）を選択し（ステップＳ２６０）、ステップＳ２７０で切替パターンを表示データ出力部７６に通知して、本処理を終了する。このように、撮影間隔Ｔの長短に応じて、異なる切替パターンを設定するのである。これにより、スライドショーを鑑賞するユーザーに対して、次に表示される写真画像が前に表示されていた写真画像と同じシーンで連続的に撮影されたものであるか、異なるシーンで撮影されたものであるかを認識させることができる。また、異なるシーンで撮影されたものにおいては、同じ日に撮影されたものであるか次の日以降に撮影されたものであるかについても認識させることができ、これにより、撮影シーンが大きく変わるか否かを認識させることができる。また、切替パターンは、エフェクト処理だけでなくアニメーション効果を表示する表示時間としての効果時間も異なるものとし、撮影間隔が長いと判定した場合の効果時間を短いと判定した場合よりも長いものとしたから、ユーザーに対して撮影間隔が長いことをよりはっきりと印象づけることができる。この結果、複数の写真画像を順次表示する場合により効果的に写真画像を切り替えることができる。なお、本実施形態では、プリンター２０の動作を説明することにより、本発明の画像表示方法の一例も明らかにしている。
【００２８】
以上説明した本実施形態のプリンター２０によれば、メモリーカードＭＣから撮影順に従って写真画像の画像データを入力して順次スライドショーし、写真画像を切り替える際には、現在表示している写真画像の撮影日時ｔ１と次の表示対象の写真画像の撮影日時ｔ２とを取得して、切替前後における写真画像の撮影間隔Ｔを算出し、算出した撮影間隔Ｔが同じシーンで撮影されたと推測できる間隔として比較的短い時間に設定された所定間隔Ｔｒｅｆ１を超えないときにはエフェクト処理がディゾルブのパターンａを切り替えパターンに選択し、所定間隔Ｔｒｅｆ１を超えるときには異なる日に撮影されたと推測できる間隔として所定間隔Ｔｒｅｆ１よりも長い時間に設定された所定間隔Ｔｒｅｆ２を超えないときにはエフェクト処理がワイプのパターンｂを選択し、超えるときにはエフェクト処理がスパイラルのパターンｃをそれぞれ選択するから、切替前後の写真画像の撮影間隔Ｔに応じて異なるエフェクト処理で写真画像を切り替えることができる。この結果、より効果的に写真画像を切り替えることができる。また、各パターンは、エフェクト処理だけでなく効果時間も異なるものとし、撮影間隔が長いと判定した場合の効果時間を短いと判定した場合よりも長いものとしたから、ユーザーに対して撮影間隔が長いことをよりはっきりと印象づけることができる。
【００２９】
上述した実施形態では、撮影間隔Ｔの長短を判定するための閾値として所定間隔Ｔｒｅｆ１，Ｔｒｅｆ２の２つの閾値を用いて３つのパターンａ〜ｃを選択するものとしたが、これに限られず、１つの閾値を用いて２つのパターンを選択するものとしてもよいし、３以上の複数の閾値を用いて４以上の複数のパターンを選択するものとしてもよい。
【００３０】
上述した実施形態では、同じシーンで連続的に撮影されたと推測できる所定間隔Ｔｒｅｆ１と異なる日に撮影されたと推測できる所定間隔Ｔｒｅｆ２とを用いるものとしたが、これに限られず、任意の時間間隔を所定間隔として用いるものとすればよく、異なる月や年に撮影されたと推測できる間隔などとしてもよい。また、異なる日や月，年に撮影されたか否かの判定は、所定間隔との比較に基づいて判定するものに限られず、撮影日時情報から抽出した日や月，年が一致するか否かに基づいて判定するものとしてもよい。
【００３１】
上述した実施形態では、各パターンａ〜ｃにおいてエフェクト処理と効果時間とがそれぞれ異なるものとしたが、これに限られず、いずれか一方だけが異なるものとしてもよく、即ち、エフェクト処理を共通として効果時間を異なるものとしてもよいし、効果時間を共通としてエフェクト処理を異なるものとしてもよい。
【００３２】
上述した実施形態では、エフェクト処理として、ディゾルブ，ワイプ，スパイラルを用いるものとしたが、これらに限られず、フェードイン，フェードアウトなどの他のエフェクト処理を用いるものとしてもよい。また、スパイラルなどにおいて３Ｄ表示を伴うものなどとしてもよい。さらに、切替パターンとしては、エフェクト処理を変更するものに限られず、音や光の出力を変更するものなどとしてもよい。この場合、プリンター２０にスピーカーやＬＥＤなどを備え、切替前後の撮影間隔Ｔに応じて音量や音を出力する時間を変更したり、光量や点灯時間，点滅間隔などを変更したりすればよい。
【００３３】
上述した実施形態では、タイムスタンプの日時の昇順に画像データを読み出してその順にスライドショーするものとしたが、これに限られず、ファイル名の順に読み出してスライドショーするものとしてもよい。あるいは、Ｅｘｉｆ付属情報を解析して抽出された撮影日時の順にスライドショーするものとしてもよい。その場合、スライドショー対象のすべての写真画像の表示順を定めたスライドショーリストを予め作成するものとしてもよく、そのリストに選択した切替パターンを予め登録するものとしてもよい。
【００３４】
上述した実施形態では、本発明を液晶ディスプレイ２５付きのプリンター２０に適用して説明したが、これに限られず、ディスプレイを備える機器であれば、例えば、ＦＡＸ機器やビューワー，パーソナルコンピューターなど如何なる機器に適用するものとしてもよい。また、ディスプレイも液晶ディスプレイに限られず、プラズマディスプレイや有機ＥＬディスプレイなどに適用するものとしてもよい。
【００３５】
なお、本発明は上述した実施形態に何ら限定されることはなく、本発明の技術的範囲に属する限り種々の態様で実施し得ることはいうまでもない。
【符号の説明】
【００３６】
２０  プリンター、２１  本体、２２  取っ手、２３  オートシートフィーダー、２４  排紙トレイ、２５  液晶ディスプレイ（ＬＣＤ）、２６  電源ボタン、２８  赤外線通信ポート、３０  リモートコントロール装置、３０ａ  発光部、３１  電源ボタン、３２  ストップ／設定クリアボタン、３３  トップメニューボタン、３４  印刷枚数設定ボタン、３５  上下左右ボタン、３６  ＯＫボタン、３７  戻るボタン、３８  印刷ボタン、３９  設定ボタン、４０  印刷機構、４１  キャリッジ、４２  ガイド、４３  キャリッジベルト、４４  インクカートリッジ、４５  印刷ヘッド、４６  搬送ローラー、４８  プリンターＡＳＩＣ、５０  メインコントローラー、５１  ＣＰＵ、５２  ＲＯＭ、５３  ＲＡＭ、５４  フラッシュメモリー、５５  インターフェース（Ｉ／Ｆ）、５９  バス、６０  赤外線通信コントローラー、６２  ＬＣＤコントローラー、６４  メモリーカードスロット、６６  メモリーカードコントローラー、７１  画像データリード部、７２  情報解析部、７３  切替パターン選択部、７４  画像展開部、７５Ａ，７５Ｂ  データ保持部、７６  表示データ出力部、７７  ＬＣＤインターフェース（ＬＣＤＩ／Ｆ）、ＭＣ  メモリーカード、Ｓ  用紙。
【図１】
2011164277.tif 000003
【図２】
2011164277.tif 000004
【図３】
2011164277.tif 000005
【図５】
2011164277.tif 000006
【図６】
2011164277.tif 000007
【図４】
2011164277.tif 000008